(57)【特許請求の範囲】
【請求項１】
エアゾール容器の上端部に設けられた噴射用ステムに装着する噴射ボタンであって、この噴射ボタンには複数の噴口が環状に設けられて環状の噴霧パターンを形成することができる噴射ボタンにおいて、
この噴射ボタンは、底面略中央部に前記ステムと嵌合するステム嵌合部(11)を有し、
このステム嵌合部(11)から噴口(26)に向かって流通路(12, 13)が形成され、流通路(12, 13)の出口部には噴口部材(20)が設けられ、
この噴口部材(20)は有底筒体形状を有し、その有底部(20b)が噴射側に位置し、
この噴口部材(20)の内部には前記有底部(20b)の略中央から起立する突出部(23)が形成され、この突出部(23)の端部が前記流通路(12, 13)の出口と対面し、
この噴口部材(20)の有底部(20b)は、外側に突出する円錐又は円錐台形状に形成され、
この有底部(20b)の前記突出部(23)の回りで且つ傾斜する側面に複数の噴口(26)を環状に穿設し、
当該噴口(26)の出口の有底部中心側の一部に遮蔽部(26s)が設けられ、
前記噴口(26)の前記遮蔽部(26s)以外の内径が前記噴口部材(20)の前記突出部(23)の周りの半径方向の間隔よりも小さく形成されていることを特徴とするエアゾール容器用噴射ボタン。
【請求項２】
前記筒体形状を有する噴口部材(20)の軸芯線(X)が水平に対して傾斜し、前記噴口部材(20)が斜め上方に向いていることを特徴とする請求項１に記載のエアゾール容器用噴射ボタン。
【請求項３】
前記流通路(12, 13)が、前記ステム嵌合部(11)から鉛直上方に延長する縦方向通路(12)と、この縦方向通路(12)に接続する横方向通路(13)とからなり、この横方向通路(13)の出口部に噴口部材(20)が位置し、
この横方向通路(13)の縦方向通路(12)側の内径よりも、この横方向通路(13)の出口側通路の内径を大きく形成したことを特徴とする請求項１又は２に記載のエアゾール容器用噴射ボタン。
【請求項４】
前記噴口部材(20)の内部に設けた突出部(23)の端面の外形形状を平面又は外方に膨出する凸状面としたことを特徴とする請求項１乃至３の何れか１項に記載のエアゾール容器用噴射ボタン。
【発明の詳細な説明】
【技術分野】
【０００１】
本発明は、エアゾール容器の上端部に設けられている内溶液を噴射する噴射用ステムに装着する押しボタン即ち噴射ボタンの改良に関するものである。
【背景技術】
【０００２】
従来のこの種の噴射ボタンにおいては、ボタンの噴口から広範囲に噴霧できるもの又は狭い範囲に直線的に噴霧できるもの、噴口が多数設けられたもの、或いは内容物を噴射する際に強力な噴射又はソフトな噴霧を実現できるもの等々、各種のものが存在する。
本発明においては、まず第一に内容物の噴射又は噴霧がソフトなもの、即ちソフトな噴霧を実現できる噴射ボタンに関するものである。  
【０００３】
この種のソフトな噴霧を実現できるものとして以下の特許文献に記載のものを挙げることができる。
下記特許文献１に記載の発明においては、噴霧粒子を小さくし、かつ、その噴射の勢いを弱めるノズルおよびこれを用いた噴霧容器、噴霧製品の提供をその課題とする。
【０００４】
その構成は、内容物が充填されたエアゾール容器と、そのエアゾール容器に取り付けられる操作部材と、その操作部材に取り付けられるノズルとからなるエアゾール製品であって、ノズルは、外部と連通する噴射孔が幅０〜０．２ｍｍのスリットを備えたものである。
このようなスリットを備えているため、内容物がスリットを通過するときに通路抵抗と振動を受けて内容物を微細な粒子で、かつソフトに噴霧できるものとなる。
【０００５】
下記特許文献２に記載の発明は、噴霧の勢いが強くなく、噴霧音も静かであり、使用者に恐怖感を与えることのない、また、長時間静置しても、均一な組成で噴霧できる噴霧製品に関するものである。
この特許文献２に添付の図４に、その典型的な従来の押しボタンの構造が開示されており、筒体形状の噴口部の内部に円柱形状のチップが内蔵された形態のものである。
【０００６】
下記特許文献３に記載のエアゾール容器に係る発明にあっては、流量の抑制やスプレーパターンのソフト化が容易にでき、詰まりも防止することができるものを提供することを課題とする。
その構成は、エアゾール内容物の流路となるハウジングの小径円筒部に焼結体を介装しており、この連続した多孔の焼結体によって流量を抑制するとともに異物の混入を防止し、その取付位置によってスプレーパターンのソフト化やアフタードローの改良を図るようにしたものである。
【０００７】
下記特許文献４に記載の発明は、本願出願人が先に提案したエアゾール容器用噴射ボタンであって、上記従来のものの改良を図ったものである。
その構成は、底面略中央部にエアゾール容器の噴射用ステムと嵌合できるステム嵌合部を有し、このステム嵌合部から噴口に向かって流通路が形成され、この流通路の出口部に噴口部材が設けられている。 この噴口部材は有底筒体形状を有し、その内部には有底部から起立するように環状の環状壁が形成され、この環状壁の内部がエアゾール容器の内容物が貯留する貯留室となっている。この貯留室の開口部に前記流通路の出口が対面する。  
【０００８】
環状壁の外側の有底部には複数の噴口が環状に設けられ、噴口部材の有底部の外表面は水平面に対して傾斜し、斜め上方に向いている。  流通路は、ステム嵌合部から上方に延長する縦方向通路とこの縦方向通路に接続する横方向通路とからなり、この横方向通路の縦方向通路側の内径よりも、この横方向通路の出口側通路の内径を大きく形成したものである。  上記構成により、エアゾール容器内の内容物の噴霧状態をよりソフトなものとした。
【先行技術文献】
【特許文献】
【０００９】
【特許文献１】特開２０１２−２１７８７７号公報
【特許文献２】特開２００５−１９４１９６号公報
【特許文献３】特開平１０−３２９８７９号公報
【特許文献４】特開２０１４−１５６２５５号公報
【発明の概要】
【発明が解決しようとする課題】
【００１０】
本発明においても、上記した通り、エアゾール容器の内容物をその噴口部の噴口からよりソフトな噴霧を行うことができるようにすることをその第一の課題としている。
これを実現するために、上記第１従来例のようなスリットを設けるのでもなく、上記第２従来例のような円柱形状のチップを内蔵するのでもなく、或いは上記第３従来例のような多孔焼結体を利用するのでもなく、より簡易な構成を噴口部自体に採用することによってソフトな噴霧を実現するために、上記第４従来例を本願出願人は提案したのである。
【００１１】
本願発明においては、上記の第４従来例を更に改良することがその課題であり、上記ソフト噴霧に加えて、その噴霧パターンをより広範囲なものとすることをその課題としている。
より詳しくは、上記第４従来例に係る噴射ボタンを、エアゾール容器の内容物として「パウダー入りの制汗剤」用として使用する場合、その噴霧パターンはストレートであるために、噴霧の的が狭くなり、その的の部分のみが冷たく感じる、という問題が生じるのである。
更に、この第４従来例の場合には、噴口部材の内部に設けた環状壁によって形成された貯留室内にパウダーが貯留してしまい、パウダー詰りの原因にもなっていたのであった。
【００１２】
そこで、本願発明においては、上記のソフト噴霧に加えて、その冷却感の低減化を目的として、その噴霧パターンをより拡大することをその課題とするものである。
【課題を解決するための手段】
【００１３】
上記課題を解決するために、本発明の第１のものは、エアゾール容器の上端部に設けられた噴射用ステムに装着する噴射ボタンであって、この噴射ボタンには複数の噴口が環状に設けられて環状の噴霧パターンを形成することができる噴射ボタンにおいて、この噴射ボタンは、底面略中央部に前記ステムと嵌合するステム嵌合部を有し、このステム嵌合部から噴口に向かって流通路が形成され、流通路の出口部には噴口部材が設けられ、この噴口部材は有底筒体形状を有し、その有底部が噴射側に位置し、この噴口部材の内部には前記有底部の略中央から起立する突出部が形成され、この突出部の端部が前記流通路の出口と対面し、この噴口部材の有底部は、外側に突出する円錐又は円錐台形状に形成され、この有底部の前記突出部の回りで且つ傾斜する側面に複数の噴口を環状に穿設し、当該噴口の出口の有底部中心側の一部に遮蔽部が設けられ、前記噴口の前記遮蔽部以外の内径が前記噴口部材の前記突出部の周りの半径方向の間隔よりも小さく形成されていることを特徴とするエアゾール容器用噴射ボタンである。
【００１４】
本発明の第２のものは、上記第１の発明において、前記筒体形状を有する噴口部材の軸芯線が水平に対して傾斜し、前記噴口部材が斜め上方に向いていることを特徴とするエアゾール容器用噴射ボタンである。
【００１５】
本発明の第３のものは、上記第１又は第２の発明において、前記流通路が、前記ステム嵌合部から鉛直上方に延長する縦方向通路と、この縦方向通路に接続する横方向通路とからなり、この横方向通路の出口部に噴口部材が位置し、この横方向通路の縦方向通路側の内径よりも、この横方向通路の出口側通路の内径を大きく形成したことを特徴とするエアゾール容器用噴射ボタンである。
【００１６】
本発明の第４のものは、上記それぞれの発明において、前記噴口部材の内部に設けた突出部の端面の外形形状を平面又は外方に膨出する凸状面としたことを特徴とするエアゾール容器用噴射ボタンである。
【発明の効果】
【００１７】
本発明の第１のものにおいては、噴射ボタンの流通路の出口部に噴口部材を設けており、この噴口部材の構造を改良し、噴口部材を略有底筒体形状に形成することにより、噴口部材の内部に空間を設け、いわばこの噴口部材の内部を貯留部と成し、その先端端面に環状に複数の噴口を設けたことにより、噴射される内容物は、よりソフトな噴霧となる。
【００１８】
更に、本発明においては、この噴口部材の有底部である先端端面の形状を改良し、その噴口部材の有底部を外側に突出する円錐形又は円錐台形に形成し、上記複数の噴口をその傾斜する周側面に環状に設け、且つ、この複数の噴口の出口の有底部中心側（噴口部材の軸芯線側）に遮蔽部を設けたことにより、噴射される内容物は外側方向に向きを変更され、内容物はより広い範囲に向けて噴霧されることとなるのである。
これにより、例えば、パウダー入り制汗剤をエアゾール容器の内容物とした場合、ソフトな噴霧を実現し、且つ、一部に冷感が集中することなく、広範囲に渡り程良い冷感を感じさせることができるのである。
【００１９】
本発明の第２のものにおいては、上記効果に加え、前記噴口部材の噴口の向きを斜め上方に配置させたことを特徴とするものであり、使い勝手の良さを考慮したもので、下方から噴霧した際にも適宜上方方向に向けて容易に噴霧できることとなるのである。
【００２０】
本発明の第３のものにおいては、前記流通路をより具体化したものであり、この流通路をステム嵌合部から鉛直上方に延長する縦方向通路と、この縦方向通路に接続する横方向通路とから形成し、この横方向通路の縦方向通路側の内径よりも、この横方向通路の出口側通路の内径を大きく形成することにより、上記発明と同様に、よりソフトな噴霧を実現させることに寄与することとなる。
【００２１】
本発明の第４のものにおいては、前記噴口部材の内部に設けた突出部の端面の外形形状を平面又は外方に膨出する凸状面に形成することにより、例えば、内容物として各種のパウダー等の粉粒体を含有するものにあっては、当該突出部の端面にその粉粒体の蓄積又は堆積等を防止することができる。
というのも、当該突出部の端面は、噴射ボタンの内部の流通路の出口部に対面しているからであり、その端面への粉粒体の蓄積等を防止することができるからである。
【００２２】
このように、本発明においては、エアゾール容器内の内容物が一時的に噴口部材の内部に貯留し、その後この貯留室から内容物が環状に配置された複数の噴口から外界に噴霧され、尚且つ噴口の出口に設けた遮蔽部によりその噴霧パターンは拡大され、適度に広範囲に広がるソフト噴霧を実現することができることとなるのである。
【図面の簡単な説明】
【００２３】
【図１】本発明の一実施形態に係る噴射ボタンを図示しており、その（Ａ）が斜視図、その（Ｂ）が中央縦断面図、その（Ｃ）が要部拡大図である。
【図２】上記実施形態における噴口部材を示しており、その（Ａ）が斜視図、その（Ｂ）が正面図、その（Ｃ）が（Ｂ）図のＣ−Ｃ線断面図である。
【発明を実施するための形態】
【００２４】
以下、添付の図面と共に本発明の一実施形態について説明する。
図１は、本発明の一実施形態に係る噴射ボタンを図示しており、その（Ａ）が斜視図、その（Ｂ）が中央縦断面図、その（Ｃ）が要部拡大図である。
【００２５】
本発明に係る噴射ボタン１０は、エアゾール容器に装着される。
当該エアゾール容器については図示していないが、内部に噴射される内容物が収容され、容器の上端部には開閉バルブが備えられ、この開閉バルブから上方に向って噴射用ステムが延長し、この噴射用ステムが押下されることによって当該ステムの吐出口から内部の内容物が噴射される。
【００２６】
本発明に係る噴射ボタン１０は、この噴射用ステムに装着されるものである。
この噴射ボタン１０は、その全体形状が、上方部分に向かって外径が徐々に小さくなる略円柱形状を有しており、その底面の略中央部には、上記のエアゾール容器の上端部に設けられている噴射用ステムと嵌合するステム嵌合部１１が設けられ、このステム嵌合部１１から略鉛直上方に縦方向通路１２が延長し、この縦方向通路１２の中間部から横方向に横方向通路１３が連続する。
【００２７】
これらの縦方向通路１２及び横方向通路１３が、エアゾール容器の噴射用ステムから噴射される内容物の流通路を形成する。
この流通路の出口部に噴口部材２０が配置されるのである。
【００２８】
縦方向通路１２と横方向通路１３とが接続する部分には、流通路の内径が他の部分よりも小さい小径通路１５が形成されている。
この小径通路１５の内径は、横方向通路１３の内径よりも小さく、同様に縦方向通路１２の内径よりも小さく形成されている。
【００２９】
この小径通路１５の存在により、エアゾール容器の噴射用ステムから噴射された内容物は、横方向通路１３内に流入する際に、その噴射圧力が低減化される。
この横方向通路１３の出口部に上記の通り噴口部材２０が配置される。
【００３０】
この噴口部材２０は、図２において詳細に説明するが、有底略筒体形状を有しており、その有底部は内容物の噴射方向に位置する。
この有底部の内部には、その略中央部から内側方向に向けて突出部２３が設けられており、この突出部２３の端面２３ｔは、前記横方向通路１３の出口と対面している。
【００３１】
このように、本発明に係る噴口部材２０は、その全体が有底の略筒形状を有するために、つまり、その内部に空間が設けられ、いわばその内部が貯留室となり、噴口２６から内容物がソフトに噴射される。
【００３２】
更に、本発明においては、上記噴口部材２０の有底部は、その外形が円錐台形状を有していて、その傾斜面２０ｓに複数の噴口２６、２６、…が環状に配設されている。
即ち、これら複数の噴口２６は、上記突出部２３の回りに円環状に配列されている。
【００３３】
そして、図２で説明するが、この噴口２６のそれぞれにおいて、その出口の噴口部材２０の軸芯線側に遮蔽部を設け、噴霧される内容物が外側に拡大噴霧されるように構成されている。
これについては後の図２で詳説する。
【００３４】
尚、この実施形態では、噴口部材２０の有底部が少し斜め上方を向いている。
即ち、噴口部材２０は、その軸芯線が水平面と平行でなく、斜めに傾斜しており、少し上方に向いた状態に形成している。
これは使用者の使い勝手を良好にするためである。
【００３５】
図２は、上記実施形態における噴口部材を示しており、その（Ａ）が斜視図、その（Ｂ）が正面図、その（Ｃ）が（Ｂ）図のＣ−Ｃ線断面図である。
この図に示した通り、本発明に係る噴口部材２０は、その全体が有底略筒形態を有しており、この有底部２０ｂが内容物の噴射側に配置される。
【００３６】
有底部２０ｂは、略円錐台形状を有しており、その内部の略中央部から内側方向に向けて突出部２３が形成されている。
この突出部２３の端面２３ｔは、前記した通り、噴射ボタン２０の横方向通路１３の出口と対向することとなる。
【００３７】
この実施形態では、成形上の事由から、上記突出部２３の部位には、有底部２０ｂの中央部から内側に向けて孔部２３ｈが形成されることとなるが、この孔部２３ｈは特に設ける必要はなく、塞がっていてもよい。
【００３８】
この有底部２０ｂの突出部２３の回りの傾斜面２３ｓの部分に、本実施形態では、５個の噴口２６を円環状に設けている。
更に、個々の噴口２６においては、その噴口２６の出口の噴口部材２０の軸芯線Ｘ側に遮蔽部２６ｓを設けている。
【００３９】
更に説明すると、個々の噴口２６を形成するに際して、完全に貫通する孔部として形成するのではなく、その孔部の先端部を貫通させずに、その少し手前側でとどめて、噴口２６を形成するのである。
その結果、噴口２６が設けられる有底部２０ｂは傾斜面にて形成されている関係上、その噴口２６の出口部には、遮蔽部２６ｓが形成されることとなるのである。
【００４０】
この遮蔽部２６ｓの存在により、内容物は、矢印Ｄの方向に偏向されて外側方向に噴霧が行われることとなるのである。
この事情は、それぞれの噴口２６において同じであり、その結果、環状に設けられている複数の噴口２６からは、円環状に広がるように内容物は外部に噴霧されることとなるのである。
【００４１】
以上、実施形態について説明したが、本発明においては以下の通り種々設計変更が可能である。
本発明に係る噴射ボタンの外径形状及びサイズは任意に設計変更することができる。
略円柱形状でなく、四角柱形状であってもよいし、その他の横断面多角形の角柱形状であってもよい。
【００４２】
要するに、その底面部にステム嵌合部が設けられ、このステム嵌合部から噴口に向かって流通路が設けられていればよい。
流通路の構成も、上記実施形態のような縦方向通路と横方向通路の構成でなくともよく、ステム嵌合部から噴口に至るまでに通路が形成されていればよい。
【００４３】
流通路の中間部には、上記実施形態のような小径通路が設けられていることが極めて望ましいが、この小径通路の採用は任意のものである。
縦方向通路と横方向通路との成す角度は、直角でなくともよく、任意の角度に設定することができる。
【００４４】
上記実施形態においては、噴口部材が斜め上方に向くように形成したが、この構成も任意なものであり、噴口部材は、その軸芯線が水平面と平行となるように形成することもできる。
この際には、横方向通路も水平に形成することになる。
【００４５】
噴口部材の内部に設けた突出部の内径も自由に設計することができ、これにより形成される貯留室の容積も必要に応じて自由に設計変更することができる。
ここで、突出部の端部と横方向通路の出口を対面させたが、突出部の端部の端面を平面に或いは外方に突出する突状に、例えば外向きに湾曲する曲面に形成することにより、例えば内容物としてパウダー等の粉粒体を含有するものにあっては、その粉粒体の堆積や蓄積を防止することができるものである。
【００４６】
噴口部材全体のサイズも、適宜必要に応じて設計変更することができる。
また、円環状に穿設された噴口の数も自由に設定することができる。
その有底部の傾斜面の角度も自由に設計変更することができる。
当該有底部の外形形状も、上記実施形態のような略円錐台形状でなく、略円錐形形状に形成するのも自由である。
【００４７】
以上、本発明は、噴口部材の有底部を略円錐台形状又は略円錐形状とし、その内部の略中央部から突出部を形成し、その回りの傾斜面に円環状に複数の噴口を設け、更に、噴口の出口には遮蔽部を形成することにより、簡易な構成により極めてソフトな噴霧と、より拡大された噴霧パターンを実現できるエアゾール容器用噴射ボタンを提供することができたものである。
【符号の説明】
【００４８】
１０  噴射ボタン
１１  ステム嵌合部
１２  縦方向通路
１３  横方向通路
１５  小径通路
２０  噴口部材
２２ｂ  有底部
２０ｓ  傾斜面
２３  突出部
２６  噴口
２６ｓ  遮蔽部
Ｘ  軸芯線
【図１】
0006617000.tif 000002
【図２】
0006617000.tif 000003